(57)【要約】【課題】原稿載置板に載置された原稿と、画像読取手段との一定の間隔を確実に保持し、読み取り精度の向上を図る。【解決手段】画像読取手段４には、載置裏面１２に対向するとともに原稿上の画像を読み取る光電変換部２０と、この光電変換部２０を保持するとともに所定の方向に長手方向を有する筐体２１と、筐体２１の長手方向の両端側に配置され光電変換部２０よりも載置裏面１２側にその外周面が突出するように軸支された従動回転体３０と、筐体２１を支持するとともに移動手段に連結されて筐体を前記所定方向と直交する方向に移動させる保持手段１５と、保持手段１５と２１筐体との間に配設され当該画像読取手段の移動に伴って回転するように従動回転体３０の外周面を載置裏面１２側へ付勢する付勢手段２４と、が備えられている。付勢手段２４は、従動回転体３０が載置裏面１２と当接するときに筐体２１が受ける押圧力の合力と平衡を保つ位置に配置されている。【選択図】図６
2009246841.tif 000002
【特許請求の範囲】
【請求項１】
原稿を載置可能な矩形状の載置面を備える原稿載置板と、前記載置面の第１辺に沿った方向に長手方向を有する画像読取手段と、前記載置面とは反対側の載置裏面に対向配置され、前記第１辺と直交する第２辺に沿った方向に前記画像読取手段を移動可能な移動手段と、を有する画像読取装置であって、
前記画像読取手段には、前記載置裏面に対向するとともに原稿上の画像をデータに変換して読み取る光電変換部と、この光電変換部を保持するとともに前記第１辺に沿った方向に長手方向を有する筐体と、当該筐体の長手方向の両端側に配置され前記光電変換部よりも前記載置裏面側にその外周面が突出するように軸支された従動回転体と、前記筐体を支持するとともに前記移動手段に連結されて前記筐体を前記第２辺に沿った方向に移動させる保持手段と、当該保持手段と前記筐体との間に配設され当該画像読取手段の移動に伴って回転するように前記従動回転体の外周面を前記載置裏面側へ付勢する付勢手段と、が備えられ、
前記付勢手段は、前記従動回転体が前記載置裏面と当接するときに前記筐体が受ける押圧力の合力と平衡を保つ位置に配置されていることを特徴とする画像読取装置。
【請求項２】
前記筐体の長手方向の各端部には、前記従動回転体が２つずつ配置されており、各端部における２つの従動回転体は、それらの回転軸が平行に並び且つ前記第１辺に沿って延びるように設けられていることを特徴とする請求項１に記載の画像読取装置。
【請求項３】
前記筐体の長手方向の各端部では、前記原稿載置板側からの投影視において、前記各従動回転体が前記載置裏面と当接して押圧力を受ける部分の中心点同士を結ぶ線上に、前記付勢手段が少なくとも１つ配置されていることを特徴とする請求項２に記載の画等読取装置。
【請求項４】
前記従動回転体の回転軸は、その両端部が支持体に回転可能に軸支され、当該支持体は前記筐体の長手方向の両端部に設けられた収納部に収納されていることを特徴とする請求項１から3のいずれかに記載の画像読取装置。
【請求項５】
前記収納部は底板を有し、前記従動回転体は前記底板の一面側に配置され、前記付勢手段は前記底板の前記一面側とは反対側の他面側と当接して前記従動回転体を前記載置裏面側に付勢するように設けられていることを特徴とする請求項４に記載の画像読取装置。
【発明の詳細な説明】
【技術分野】
【０００１】
本発明は、原稿載置板に載置された原稿を読み取る、所謂フラットベッドタイプの画像読取装置に関するものである。
【背景技術】
【０００２】
従来から、ガラス等の原稿載置板に、原稿をその記録面が下になるように載置して、前記原稿載置板の下方に配置された画像読取手段（イメージスキャナ装置）を、走査することで原稿上の画像を読み取る、いわゆるフラットベッドタイプの画像読取装置が知られている。このような画像読取手段は、原稿からの反射光を電気信号に変換して読み取る光電変換部を備えており、その種類としては、ＣＣＤ（Charge Coupled Devices）やＣＩＳ（Contact Image Sensor）等がある。特にＣＩＳは原稿に近接して読み取る密着型の読取方式なので、ＣＩＳと原稿との距離が読み取り精度に大きく影響する。従って、載置された原稿と画像読取手段との距離、換言すれば、原稿載置板の裏面（下面）と画像読取手段との距離を常に一定に保ちながら画像読取手段を走査するための工夫がなされている。
【０００３】
例えば、特許文献１では、画像読取手段には、光電変換部（密着型イメージセンサ）の他に、光電変換部よりも原稿載置板の裏面側に向かって外周面が突出する従動回転体（コロ）と、従動回転体の外周面を原稿載置板の裏面に当接させるように押圧する付勢手段（スプリング）と、が設けられている。従動回転体の外周面が原稿載置板の裏面に当接することで、光電変換部と原稿載置板の裏面との距離が一定に保たれ、且つ従動回転体が回転することで、画像読取手段を滑らかに移動させるようにしている。
【０００４】
詳細には、特許文献１の密着型イメージセンサは、その移動方向、いわゆる副走査方向と直交する方向（主走査方向）に細長い形状に形成され、上面が開口した箱状の走行体の内側に収納されている。そして、密着型イメージセンサの長手方向に離間した２つの側面にコロが片持ちで軸支されている。また、密着型イメージセンサの前記側面からは長手方向の外方に向かってフランジ状に延出部が設けられていて、この延出部の下面と走行体の底板との間にスプリングが配置されている。
【特許文献１】特開平１１−９８３２２号公報（図１及び図６参照）
【発明の開示】
【発明が解決しようとする課題】
【０００５】
ところで、密着型イメージセンサに対するコロとスプリングの位置関係は様々なケースが考えられる。例えば、図９（ａ）に示すように、コロ１０１と原稿載置板１０６の裏面とが当接する当接位置（当接して押圧力を受ける部分の中心点）Ａよりも、スプリング１０２が密着型イメージセンサ１０３を付勢する付勢位置Ｂの方が、密着型イメージセンサ１０３の長手方向の中央部寄りに位置している場合がある。このような場合には、密着型イメージセンサ１０３の長手方向の中央部を両端部よりも上方に押し上げるように変形させる力が作用するので、一点鎖線で示すように密着型イメージセンサ１０３に上向き凸状の湾曲変形を招来する（なお、図９（ａ）では誇張して図示している）。密着型イメージセンサ１０３が長手方向に沿って変形すると、密着型イメージセンサ１０３と原稿との間隔にばらつきが発生するので、この間隔のばらつきが画像の読み取り精度に悪影響を与えるという問題が生じる。
【０００６】
また、逆に、図９（ｂ）に示すように、コロ１０１と原稿載置板１０６の裏面とが当接する当接位置（当接して押圧力を受ける部分の中心点）Ａよりも、スプリング１０２が密着型イメージセンサ１０３を付勢する付勢位置Ｂの方が、密着型イメージセンサ１０３の長手方向の端部側に位置している場合がある。このような場合には、密着型イメージセンサ１０３の長手方向の両端部を中央部よりも上方に押し上げるように変形させる力が作用するので、密着型イメージセンサ１０３に下向き凸状の湾曲変形を招来し（なお、図９（ｂ）では誇張して図示している）、図９（ａ）の場合と同様、画像の読み取り精度に悪影響を与えるという問題が生じる。
【０００７】
図９（ａ）や図９（ｂ）の場合、密着型イメージセンサ１０３の長手方向の長さが、長くなればなるほど湾曲変形の影響が顕著となる。例えば密着型イメージセンサ１０３の長手方向の長さが、Ａ４サイズの原稿の短辺の長さとほぼ同様の長さであるときと、Ａ３サイズの原稿の短辺の長さとほぼ同様の長さであるときとでは、Ａ３サイズの原稿の短辺の長さとほぼ同様の長さであるときのほうが、湾曲変形の影響が一層大きくなることは言うまでもない。
【０００８】
一方、特許文献１では、図９（ｃ）に示すように、コロ１０１と原稿載置板１０６の裏面とが当接する当接位置（当接して押圧力を受ける部分の中心点）Ａと、スプリング１０２が密着型イメージセンサ１０３を付勢する付勢位置Ｂが、比較的近接した位置に設けられている。しかしながら、コロ１０１の回転軸１０４が密着型イメージセンサ１０３に片持ち支持され、また、スプリング１０２は、密着型イメージセンサ１０３の延出部１０５を付勢している。そのため、スプリング１０２による上向きの付勢力は、回転軸１０４の基端Ｄに作用するのに対し、当接位置Ａではコロ１０１に対して下向きの押圧力が作用するので、コロ１０１に一点鎖線で示すような変形を招き、コロ１０１の機能を損なう虞がある。
【０００９】
本発明は、上記課題を解消するものであって、原稿載置板に載置された原稿と、画像読取手段との一定の間隔を確実に保持し、読み取り精度の向上を図ることができる画像読取装置の実現を目的とするものである。
【課題を解決するための手段】
【００１０】
前記目的を達成するために、請求項１に記載の発明における画像読取装置は、原稿を載置可能な矩形状の載置面を備える原稿載置板と、前記載置面の第１辺に沿った方向に長手方向を有する画像読取手段と、前記載置面とは反対側の載置裏面に対向配置され、前記第１辺と直交する第２辺に沿った方向に前記画像読取手段を移動可能な移動手段と、を有する画像読取装置であって、前記画像読取手段には、前記載置裏面に対向するとともに原稿上の画像をデータに変換して読み取る光電変換部と、この光電変換部を保持するとともに前記第１辺に沿った方向に長手方向を有する筐体と、当該筐体の長手方向の両端側に配置され前記光電変換部よりも前記載置裏面側にその外周面が突出するように軸支された従動回転体と、前記筐体を支持するとともに前記移動手段に連結されて前記筐体を前記第２辺に沿った方向に移動させる保持手段と、当該保持手段と前記筐体との間に配設され当該画像読取手段の移動に伴って回転するように前記従動回転体の外周面を前記載置裏面側へ付勢する付勢手段と、が備えられ、前記付勢手段は、前記従動回転体が前記載置裏面と当接するときに前記筐体が受ける押圧力の合力と平衡を保つ位置に配置されていることを特徴とするものである。
【００１１】
請求項２に記載の発明は、請求項１に記載の画像読取装置において、前記筐体の長手方向の各端部には、前記従動回転体が２つずつ配置されており、各端部における２つの従動回転体は、それらの回転軸が平行に並び且つ前記第１辺に沿って延びるように設けられていることを特徴とするものである。
【００１２】
請求項３に記載の発明は、請求項２に記載の画像読取装置において、前記筐体の長手方向の各端部では、前記原稿載置板側からの投影視において、前記各従動回転体が前記載置裏面と当接して押圧力を受ける部分の中心点同士を結ぶ線上に、前記付勢手段が少なくとも１つ配置されていることを特徴とするものである。
【００１３】
請求項４に記載の発明は、請求項１から3のいずれかに記載の画像読取装置において、前記従動回転体の回転軸は、その両端部が支持体に回転可能に軸支され、当該支持体は前記筐体の長手方向の両端部に設けられた収納部に収納されていることを特徴とするものである。
【００１４】
請求項５に記載の発明は、請求項４のいずれかに記載の画像読取装置において、前記収納部は底板を有し、前記従動回転体は前記底板の一面側に配置され、前記付勢手段は前記底板の前記一面側とは反対側の他面側と当接して前記従動回転体を前記載置裏面側に付勢するように設けられていることを特徴とするものである。
【発明の効果】
【００１５】
請求項１に記載の発明によれば、画像読取手段では、載置裏面に対向するとともに原稿上の画像をデータに変換して読み取る光電変換部が、載置面の第１辺に沿った方向に長手方向を有する筐体によって保持されている。筐体の長手方向の両端側には、光電変換部よりも載置裏面側にその外周面が突出するように軸支された従動回転体が配置されている。また、画像読取手段には、筐体を支持するとともに移動手段に連結されて筐体を第１辺と直交する第２辺に沿った方向に移動させる保持手段と、保持手段と筐体との間に配設され且つ画像読取手段の移動に伴って回転するように従動回転体の外周面を載置裏面側へ付勢する付勢手段とが備えられている。つまり、付勢手段で筐体が付勢されることで、従動回転体の外周面と載置裏面とが当接し、これにより、光電変換部と載置裏面との間に一定の隙間が確保される。また、画像読取手段の移動に伴って従動回転体が回転することで、画像読取手段が前記一定の隙間を保って滑らかに移動する。
【００１６】
筐体には、付勢手段が配置された部位で、載置裏面側に向かう付勢力が作用する一方、従動回転体と載置裏面とが当接する部位では、従動回転体を介して筐体に載置裏面側からの押圧力（付勢力と反対向きの力）が作用する。このとき、あらかじめ付勢手段を、押圧力の合力と平衡を保つ位置に配置しているため、筐体が第１辺に沿って細長く形成されていても、筐体及び光電変換部の変形や撓みが生じ難くなる。従って、光電変換部と載置裏面との隙間を均一に保持でき、読み取り精度を損なう心配がない。
【００１７】
請求項２に記載の発明によれば、筐体の長手方向の各端部には、２つの従動回転体が、回転軸が平行に並び且つ第１辺に沿って延びるように配置されている。つまり、第１辺に沿って長い筐体の各端部では、第２辺に沿って離間した２箇所ずつで載置裏面と当接する。従って、筐体と載置裏面とが、４つの接点で安定的に当接することができる。
【００１８】
請求項３に記載の発明によれば、筐体の長手方向の各端部では、原稿載置板側からの投影視において、各従動回転体が前記載置裏面と当接して押圧力を受ける部分の中心点同士を結ぶ線上に、付勢手段が少なくとも１つ配置されている。従って、従動回転体が筐体の長手方向の各端部に２つずつ設けられていても、これらが受ける押圧力の合力と、１または複数の付勢手段による付勢力とで、平衡を保つことができる。
【００１９】
請求項４に記載の発明によれば、従動回転体の回転軸は、その両端部が支持体に回転可能に軸支されている。つまり従動回転体の回転軸は、所謂両持ち支持によって安定的に支持体に取り付けられた上でこの支持体が筐体に設けられた収納部に収納されている。従って、付勢手段による付勢力や、載置裏面から筐体が受ける押圧力によって、回転軸が傾いたりする変形を抑制できる。
【００２０】
請求項５に記載の発明によれば、収納部は底板を有し、従動回転体は底板の一面側に配置され、付勢手段は底板の一面側とは反対側の他面側と当接して従動回転体を載置裏面側に付勢する。これにより、付勢手段の付勢力が、底板を介して特に従動回転体に伝わる。
【発明を実施するための最良の形態】
【００２１】
以下に、本発明を具体化した実施形態について説明する。図１は、画像読取装置１の斜視図であるが、この画像読取装置１は、単独のスキャナ装置に適用しても、あるいは、ファクシミリ機能、コピー機能、プリンタ機能、スキャナ機能等の複数の機能を備えた多機能措置の画像読取部に適用してもよい。
【００２２】
画像読取装置１には、図１に示すように、本体ケース２の上側に、原稿を載置する原稿台３が設けられ、その下方に、画像読取手段４としてＣＩＳ（Contact Image Sensor）方式のイメージスキャナ装置が移動可能に配置されている。画像読取装置１の上部には、原稿台３全体を覆う大きさのカバー体９が、後端部（図１の右上側）を中心として開閉可能に取り付けられている。
【００２３】
画像読取装置１の上面または側面には、図示していないが、画像読取装置１の電源スイッチや、原稿の読み取りを指示するためのスタートキー等の複数のキーが配置されている。画像読取装置１をパーソナルコンピュータ等の外部装置に接続して、外部装置のキー操作で、画像読取装置１に動作を指令するように構成してもよい。
【００２４】
原稿台３は、原稿載置板５としての平坦なガラス板と、原稿載置板５の周囲を覆うように配置された薄板状の枠体６とを備えている。なお、図１では原稿載置板５の下方に配置されている部材も、実線で表示している。ここでは、合成樹脂製の枠体６は、原稿載置板５を露出するための開口部６ａを備えており、その開口部６ａの内周も、枠体６の外周も平面視で長方形状を呈するように形成されている。枠体６の開口部６ａから平面視で長方形(矩形)状に露出する原稿載置板５の部分が、原稿を載置する載置面７となる。載置面７の短辺（請求項の第１辺に相当）に平行な方向をＸ軸（主走査）方向、長辺（請求項の第２辺に相当）に平行な方向をＹ軸（副走査）方向とする。なお、以降の説明では、原稿載置板５における載置面７側を上、その反対側である載置裏面１２側を下として説明する。
【００２５】
枠体６の開口部６ａ内周の辺のうち、Ｘ軸方向に平行な一方の辺は、載置面７に載置する原稿を位置決めするための位置決め部材１０として用いられる。枠体６は原稿載置板５の上方に重ねて配置されているから、位置決め部材１０は載置面７よりも上方に突出している。位置決め部材１０には、原稿サイズに応じた配置位置を案内するための目印１１が複数設けられている。
【００２６】
原稿載置板５の下方に配置された画像読取手段４は、Ｘ軸方向に細長く、その長さは、後述する光電変換部２０が、載置面７におけるＸ軸方向の読み取り領域に合うように設定されており、画像読取手段４の全体のＸ軸方向の長さは、後述する従動回転体３０の配置等を考慮して、載置面７の短辺よりも長く設定されている。原稿載置板５の下方で、Ｘ軸方向の幅の中心線付近には、Ｙ軸方向に延びるガイド軸８が設けられている。画像読取手段４は、図３に示すように、モータ４１、駆動プーリ４２、従動プーリ４３、タイミングベルト４４等からなる公知の駆動機構４０（請求項の移動手段に相当）によって、ガイド軸８に沿って摺動し、Ｙ軸方向に往復移動するように設けられている。後述するキャリッジ１５の底面には、図示しない把持部が設けられており、この把持部がタイミングベルト４４の一部を把持している。従って、駆動機構４０の駆動により画像読取手段４はガイド軸８に沿って摺動し、Ｙ軸方向に往復移動するのである。画像読取手段４は、原稿を読み取るために、原稿載置板５において載置面７と反対側の面となる載置裏面１２に沿って移動する。そして画像読取手段４は、位置決め部材１０の下方まで移動できるように構成されている。
【００２７】
画像読取手段４は、図４及び図５に示すように、原稿上の画像をデータに変換して読み取る光電変換部２０を備え、光電変換部２０は原稿載置板５に載置された原稿に対して光を発光する発光部（ＬＥＤの光源）と、原稿で反射した光をロッドレンズアレイを介して受光する受光部（Ｃ−ＭＯＳセンサ）とで構成されている。この構成は一般によく知られている構成なので、ここでは詳述しない。この光電変換部２０は、Ｘ軸方向に細長く且つ上面が開口した箱状の筐体２１に保持されていて、さらに筐体２１は、Ｘ軸方向に細長く且つ上面が開口した箱状のキャリッジ１５（請求項の保持手段に相当）に収納されている。
【００２８】
光電変換部２０は、筐体２１の長手方向（Ｘ軸方向）のほぼ全体に渡って収納されていて、筐体２１の長手方向の両端側には、後述する従動回転体３０を収納するための収納部２２がそれぞれ設けられている。筐体２１の底板２３と、キャリッジ１５の底板１６との間に、付勢部材２４（請求項の付勢手段に相当）が配置されている（図６参照）。
【００２９】
従動回転体３０は、図４〜図６に示すように、筐体２１の長手方向における両端側の各収納部２２にそれぞれ２つずつ配置されている。詳細には、１つの収納部２２に収納される２つの従動回転体３０は、支持体３１に回転自在に軸支されていて、支持体３１とともにユニット化されて収納部２２に収納されている（図５（ｃ）及び図７参照）。各従動回転体３０の回転軸３２は、その両端が支持体３１の軸受部３４に軸支される両持ち支持に構成されている。支持体３１には、図７（ｃ）に示すように、下方に向かって突出する２つの突起部３３がＹ軸方向に沿って離間して配置されていて、これら突起部３３が、これに対応して収納部２２の底板２３に形成されている穴部２５（図５（ｂ）参照）に嵌合することで、支持体３１の収納部２２に対する位置決めが行われる。また、従動回転体３０の高さを変更するには、収納部２２の底板２３上に薄型スペーサを適宜の枚数だけ挿入すればよい。この薄型スペーサは、薄い合成樹脂フィルムからなり、平面視で収納部２２の底板２３の形状よりわずかに小さく、且つ穴部２５に相当する位置に開口部を有する形状が望ましい。
【００３０】
支持体３１が収納部２２に収納された状態では、２つの従動回転体３０の回転軸３２がいずれもＸ軸方向に沿って延び、且つＹ軸方向に沿って平行に並ぶ。そして、従動回転体３０の外周面が、光電変換部２０よりも載置裏面１２側にΔＧだけ突出するように設けられている（図６（ｂ）参照）。付勢部材２４によって、筐体２１が載置裏面１２側に付勢されているため、従動回転体３０の外周面が載置裏面１２に当接する。従って、前記ΔＧが、光電変換部２０と載置裏面１２との隙間寸法となり、光電変換部２０と原稿との間隔を規定する。この実施形態では、光電変換部２０にＣＩＳ方式を適用しているため、ΔＧは極めて小さい値にする必要がある。
【００３１】
本実施形態においては、付勢部材２４は、図５（ｄ）に示すように、コイルバネ部２４ａにトーションバネ部２４ｂが連続して形成されている。図６（ｃ）に示すように、コイルバネ部２４ａは、筐体２１の底板２３と、キャリッジ１５の底板１６との間に配置され、収納部２２の底板２３を載置裏面１２側に付勢する（上向きの付勢力）。収納部２２の底板２３の下面からは、コイルバネ部２４ａを被嵌させるための、軸部２６が突出していて、コイルバネ部２４ａの位置ズレを防止している。
【００３２】
トーションバネ部２４ｂは、筐体２１の長手方向の一方の側板２１ａと、キャリッジ１５の長手方向の一方の側板１５ａとの間に配置され、筐体２１をキャリッジ１５における一方の側板１５ａの反対側の側板側に付勢して、がたつきを抑制している（図６（ｃ）参照）。この実施形態では、キャリッジ１５の内側面と筐体２１との間に隙間があるため、付勢部材２４にトーションバネ部２４ｂを設けているが、キャリッジ１５及び筐体２１の仕様に応じて、トーションバネ部２４ｂは適宜省略することができる。
【００３３】
各収納部２２では、付勢部材２４のコイルバネ部２４ａが、原稿載置板５側からの平面視で、２つの従動回転体３０の間に配置されている。厳密には、図８の模式図に示すように、従動回転体３０が載置裏面１２に当接して押圧力を受ける部分の中心点を当接位置Ａとすると、原稿載置板５からの投影視において、並設された２つの従動回転体３０、３０の当接位置Ａ同士を結ぶ線Ｐ上に、付勢部材２４のコイルバネ部２４ａの中心を配置するようにしている。この実施形態では、各収納部２２に付勢部材２４を１つずつ配置していて、付勢部材２４のコイルバネ部２４ａの中心（付勢位置Ｂ）が、当接位置Ａ同士を結ぶ線Ｐの中心Ｏと一致するようにしている。換言すれば、コイルバネ部２４ａが被嵌する軸部２６を、中心Ｏに一致させるように底板２３に設けている。
【００３４】
なお、筐体２１には、光電変換部２０と底板２３を挟んだ反対側（底板２３の下面側に）に、光電変換部２０の基板２７が配置されている。基板２７を付勢部材２４で押圧すると、電気回路の断線や破壊を招来して好ましくないので、基板２７の配置位置を避けた、つまり、筐体２１の長手方向の両端側に収納部２２を設け、この収納部２２における底板２３の部分を付勢部材２４で付勢するようにしている。
【００３５】
上記構成では、付勢部材２４のコイルバネ部２４ａが筐体２１（収納部２２の底面２３の裏面側）を載置裏面１２側に付勢することで、従動回転体３０が載置裏面１２に確実に当接するが、これにより、従動回転体３０と載置裏面１２との間に押圧力が生じるので、従動回転体３０を介して筐体２１にも下向きの押圧力が作用する。この押圧力は、Ｘ軸方向に長い筐体２１の両端部のみに作用するが、付勢部材２４のコイルバネ部２４ａの中心（付勢位置Ｂ）を、前述したように当接位置Ａ同士を結ぶ線Ｐの中心Ｏに位置させている。
【００３６】
従って、筐体２１の長手方向の各端部では、従動回転体３０が受ける押圧力の合力（下向きの力Ｆ１）と、付勢手段２４による付勢力（上向きの力Ｆ２）とが平衡を保つ。これにより、Ｘ軸方向に長い筐体２１であっても、従来のように、長手方向に撓みが発生することを抑制する又はなくすことができる。その結果、光電変換部２０と載置裏面１２との間隔ΔＧの、画像読取手段４の長手方向に沿うばらつきが抑制され、読取精度が低下する虞がない。
【００３７】
加えて、各従動回転体３０は、その回転軸３２の両端が、筐体２１に軸支された所謂両持ち支持に構成されている。従って、付勢手段２４による付勢力が、回転軸３２全体に作用するので、回転軸３２を変形させる虞もない。
【００３８】
特に、画像読取装置１が、大きなサイズ（Ａ３サイズ等)の原稿の読み取りに対応するために、画像読取手段４をＸ軸方向に長く構成する必要がある場合には、画像読取手段４の長手方向の撓みを抑制できる本発明は極めて有効である。
【００３９】
付勢部材２４（コイルバネ部２４ａ）の配置位置は、上述したような当接位置の中心Ｏの１箇所に限定するものではない。当接位置Ａ同士を結ぶ線Ｐ上であって、且つ当接位置の中心Ｏからの点対称となる箇所に複数配置してもよい。この場合には、従動回転体３０が受ける押圧力の合力を、複数の付勢手段で分散させながら、平衡を保つことになる。複数の付勢手段を用いる場合には、本実施形態のような構成の付勢部材２４と全く同一の構成に限ったものではなく、適宜その構成を変更して同様の機能を発揮できるようにすればよい。
【００４０】
なお、本発明は、図示したようなフラットベッドタイプの画像読取装置１の形態だけでなく、フラットベッドタイプの画像読取装置にＡＤＦ（自動給紙装置）を付加した形態に適用してもよい。
【００４１】
また、上述の実施形態においては、従動回転体３０は、支持体３１に回転自在に軸支されており、この支持体３１が画像読取手段４における筐体２１の収納部２２に収納されているが、従動回転体３０の軸受部を画像読取手段４の筐体２１に直接設け、従動回転体３０を筐体２１に直接配設してもよい。
【図面の簡単な説明】
【００４２】
【図１】本発明を適用した画像読取装置のカバー体を開放した状態の斜視図である。
【図２】図１のＩＩ−ＩＩ線矢視断面図である。
【図３】駆動機構を説明する斜視図である。
【図４】（ａ）はセンサ保持部の斜視図、（ｂ）はセンサ保持部の端部の拡大斜視図である。
【図５】（ａ）はセンサ保持部の一部分解斜視図、（ｂ）はセンサ保持部の収納部の拡大斜視図、（ｃ）は支持体の斜視図、（ｄ）は付勢手段の斜視図である。
【図６】（ａ）はセンサ保持部の上面図、（ｂ）は（ａ）のＶｂ−Ｖｂ線矢視断面図、（ｃ）は（ａ）のＶｃ−Ｖｃ線矢視断面図である。
【図７】（ａ）は支持体の上面図、（ｂ）は支持体の側面図、（ｃ）は支持体の正面図である。
【図８】（ａ）は付勢手段の配置位置を説明する模式的平面図、（ｂ）は付勢手段の配置位置を説明する模式的側断面図である。
【図９】（ａ）〜（ｃ）は従来の画像読取手段における付勢手段の配置を説明する図である。
【符号の説明】
【００４３】
１        画像読取装置
３        原稿台
４        画像読取手段
５        原稿載置板
７        載置面
８        軸部
１２      載置裏面
１５      キャリッジ
１６      （キャリッジの）底板
２０      光電変換部
２１      筐体
２２      収納部
２３      （収納部の）底板
２４      付勢部材
２４ａ    コイルバネ部
２４ｂ    トーションバネ部
３０      従動回転体
３１      支持体
３２      回転軸
Ａ        当接位置
Ｂ        付勢位置
Ｏ        当接位置の中心                                                                     
【図１】
2009246841.tif 000003
【図２】
2009246841.tif 000004
【図３】
2009246841.tif 000005
【図４】
2009246841.tif 000006
【図５】
2009246841.tif 000007
【図６】
2009246841.tif 000008
【図７】
2009246841.tif 000009
【図８】
2009246841.tif 000010
【図９】
2009246841.tif 000011